(57)【要約】【課題】排泄量に応じた使用によって洗濯回数の削減や繰返しの使用の効率化を図ることができ、また快適な使用が確保されるようにする。【解決手段】防水性の高い防水性布１２の内側に木綿布１３を縫い付けたカバー体１１と、このカバー体１１から分離され、防水性布２１の内側に複数枚の木綿布２２とメッシュ布２３を縫い付けた股当て体２０とから構成し、この股当て体２０の防水性布２１と複数枚の木綿布２２は、その背中側の上方端部のそれぞれの位置を上下方向へずらしながら配置する。また、カバー体１１に取り付けた固定用面ファスナーでは、そのフックテープ１６に、ゴミの付着を防止するためのパイルテープ２６を配置する。【選択図】図１
0003116919.tif 000002
【実用新案登録請求の範囲】
【請求項１】
防水性の高い防水性布の内側に木綿布を縫い付けてなり、股に当てるための股当て体と、
この股当て体から分離して配置され、防水性の高い防水性布の内側に木綿布を縫い付けてなり、股に当てられた上記股当て体を覆いながら股から腰周りに取り付けられるカバー体と、から構成した布おむつ。
【請求項２】
上記股当て体には、複数枚の木綿布を配置し、この複数枚の木綿布と防水性布は、その背中側の上方端部のそれぞれの位置を上下方向へずらしながら配置し、かつ体軸の左右両端で体軸方向に沿って縫い合わせ、上下方向の縁が開くようにしたことを特徴とする請求項１記載の布おむつ。
【請求項３】
上記カバー体として、腰当て部を腰に巻き付け、股部及び前当て部を股に通して体の前側へ折り畳むように配置するＴ字状カバー体を用い、このＴ字状カバー体に、メス部とオス部からなる固定用面ファスナーを配置したときは、上記オス部又はその近傍に、上記メス部とは別体となる第２メス部を取り付けたことを特徴とする請求項１又は２記載の布おむつ。
【考案の詳細な説明】
【技術分野】
【０００１】
本考案は布おむつ、特に病院、介護施設等で用いられ、洗濯して繰り返し使用する布製のおむつの構成に関する。
【背景技術】
【０００２】
従来から、病院、介護施設、老人ホーム等の各種の施設又は介護家庭では、洗濯して繰返し使用する布製のおむつが用いられており、本出願人は、特開２００１−７９０３３号公報に示されるように、洗濯の際の乾燥時間や洗濯作業時間を短縮するための布おむつを提案している。
【０００３】
この布おむつは、腰布部と股布部を有するＴ字状の台布に、第１股布を縫い付け、この第１股布の内側に第２股布の上側のみを縫い付ける構成にすると共に、布が重なる部分では、横方向の縁部を縫わないようにしている。これによれば、布を重ねて配置する場合でも、内部への空気の流通が良好となり、乾燥時間を短縮できる等の利点がある。
【特許文献１】特開２００１−７９０３３号公報
【考案の開示】
【考案が解決しようとする課題】
【０００４】
ところで、布おむつにおいては、紙おむつとは異なって、洗濯回数を削減し、繰返しの使用を効率よく行うことが求められており、このための工夫が必要となる。即ち、排泄には小と大があると共に、その量も回数や体調等によって差があり、この排泄量に応じた布おむつの使用ができれば、洗濯回数の削減や繰返しの使用の効率化を図ることができる。
【０００５】
また、布おむつは、複数枚の布を重ねて縫い合わせることが行われるが、寝た状態で使用することが多いことから、使用時の快適性を確保するため、特に背中に位置する部分では、重ね合せ部や縫い合せ部等によって段差や凹凸が生じることがないようにしなければならない。
【０００６】
更に、本出願人は、例えばＴ字状の布おむつを腰部に巻き付け配置した後に、マジックテープ（登録商標）等の面ファスナーで止めることを提案しているが、この場合には、洗濯の際に面ファスナーのフックテープ（オス部）がパイル布（メス部）、木綿布等に引っ掛かり、これによって、洗濯効率が低下したり、フックテープにゴミが付着してパイル布に対する接着力が低下したりする等の不都合を生じさせる。
【０００７】
本考案は上記問題点に鑑みてなされたものであり、その目的は、排泄量に応じた使用によって洗濯回数の削減や繰返しの使用の効率化を図ることができ、また快適な使用が確保され、更には止め具として配置される面ファスナーによる洗濯効率の低下や面ファスナーの接着力の低下をなくすことができる布おむつを提供することにある。
【課題を解決するための手段】
【０００８】
上記目的を達成するために、本考案請求項１に係る布おむつは、防水性の高い防水性布の内側に木綿布を縫い付けてなり、股に当てるための股当て体と、この股当て体から分離して配置され、防水性の高い防水性布の内側に木綿布を縫い付けてなり、股に当てられた上記股当て体を覆いながら股から腰周りに取り付けられるカバー体と、から構成したことを特徴とする。
請求項２に係る考案は、上記股当て体には、複数枚の木綿布を配置し、この複数枚の木綿布と防水性布は、その背中側の上方端部のそれぞれの位置を上下方向へずらしながら配置し、かつ体軸の左右両端で体軸方向に沿って縫い合わせ、上下方向の縁が開くようにしたことを特徴とする。
請求項３に係る考案は、上記カバー体として、腰当て部を腰に巻き付け、股部及び前当て部を股に通して体の前側へ折り畳むように配置するＴ字状カバー体を用い、このＴ字状カバー体に、メス部（パイル部又はループ部）とオス部（フック部）からなる固定用面ファスナー［開閉自在の留め具であり、例えばマジックテープ（登録商標）］を配置したときは、上記オス部又はその近傍に、上記メス部とは別体となる第２メス部を取り付けたことを特徴とする。
【考案の効果】
【０００９】
本考案の布おむつによれば、股当て体がカバー体とは分離されるので、排泄が小のとき又は排泄量が少ないとき等では、股当て体のみの交換をすればよく、カバー体は排泄量が多いとき或いは股当て体の複数回の交換の後に交換すればよいことになる。従って、カバー体の洗濯回数が削減でき、布おむつ全体の繰返しの使用の効率化を図ることができる。
また、請求項２の構成によれば、複数枚の木綿布を備えた股当て体において、背中側のそれぞれの布の上方端部が上下方向にずらして配置され、複数枚の布が一箇所で重なることが防止されるので、布おむつの快適な使用が確保される。
更に、請求項３の構成によれば、洗濯時に止め具として配置される面ファスナーのオス部がメス部、木綿布等に引っ掛かったり、オス部にゴミが付着したりすることが防止でき、洗濯効率の低下が生じることもなく、面ファスナーの接着力が低下することもないという効果がある。
【考案を実施するための最良の形態】
【００１０】
図１乃至図６には、本考案の第１実施例に係る布おむつの構成が示されており、図１（Ａ）はカバー体の内側の図、図１（Ｂ）は股当て体の内側の図、図２はカバー体の外側の図である。図１（Ａ），図２に示されるように、カバー体１１は、ポリエステル繊維等、例えば中間のポリウレタンフィルムを外側のポリエステル（１００％）で挟んで３層とした防水性の高い外側の防水性布１２と、例えば１枚の布地を折り畳んで２枚（３枚以上でもよい）にした内側の木綿布１３とをそれらの外周部で縫い合せて全体が作られる。このカバー体１１は、Ｔ字形水平部に位置する腰当て部１１Ａ、Ｔ字形垂直部に位置する股部１１Ｂと前当て部（腹当て部）１１Ｃを有し、上記腰当て部１１Ａの中央部には、例えばゴム状帯（弾性布、ひも）を内部に配置したギャザー（ひだ）が設けられ、また上記股部１１Ｂの両側にも、ゴム状帯（弾性布、ひも）を用いてギャザーが設けられると共に、排泄物が外側へ漏れ出すことを防ぐために、ゴム状帯と防水性布を用いて形成したギャザーからなる漏れ止め部１５が付けられる。
【００１１】
また、このカバー体１１の内側には、腰当て部１１Ａの１箇所と前当て部１１Ｃの左右の６箇所に、面ファスナーであるマジックテープのフックテープ（オス部）１６が縫い付けられており、カバー体１１の外側には、腰当て部１１Ａの左右両側の三角領域に防水性のパイル布（メス部）１７（パイルテープ、ループテープを防水性布面の所定位置に設けてもよい）が設けられている。従って、図３に示されるように、腰当て部１１Ａの一方端のフックテープ１６が他方端のパイル布１７に接着（係着）され、また前当て部１１Ｃの６箇所のフックテープ１６が両方のパイル布１７に接着されることによって、カバー体１１を腰部に取り付けることができる。
【００１２】
図１（Ｂ）、図４及び図５には、上記カバー体１１の内側に配置される股当て体の構成が示されており、この股当て体２０は、図４（Ａ）の防水性布２１、図４（Ｂ）〜（Ｅ）の木綿布２２ａ〜２２ｄからなる木綿布２２及び図４（Ｆ）のメッシュ布２３から構成される。上記防水性布２１は、上記カバー体１１の場合と同様に、例えば中間のポリウレタンフィルムを外側のポリエステルで挟んで３層とした防水性の高い防水性布からなる。上記木綿布２２ａ〜２２ｄは、それぞれが例えば１枚の布地を折り畳んで２枚重ねとした布からなり、それぞれの大きさが異なると共に、布２２ｄの上下幅は上記防水性布２１よりも小さくされる。
【００１３】
そして、これらの木綿布２２ａ〜２２ｄは、図５に示されるように、大きい順に重ねると共に、それぞれの布２２ａ〜２２ｄの上方端（背中に位置する端）が同一線上に重ならないようにずらして配置される。即ち、例えば布２２ａは布２２ｂに左右両端縦方向の縫い線Ｋ１で縫い付け、この布２２ｂは布２２ｃに両端縦方向の縫い線Ｋ２で縫い付け、この布２２ｃは布２２ｄに左右両端縦方向の縫い線Ｋ３で縫い付けることによって、木綿布２２が作られる。このとき、各布２２ａ〜２２ｄが重なる上下端を縫わないので、布間Ｇは開放状態となる。
【００１４】
上記メッシュ布２３は、合成繊維を材料としてメッシュ状に編んで形成された布で、その上下幅が上記木綿布２２ｄよりも小さくなっており、木綿布２２に吸収された液体を内部に閉じ込め、木綿布２２が肌に張り付かないようにすると共に、濡れた肌触り感をなくす役目をする。なお、上記防水性布２１には、ゴム状帯と防水性布を用いて形成したギャザー２４が設けられる。
【００１５】
そして、上記防水性布２１を外側に配置し、その内側に、図５の木綿布２２の布２２ａが防水性布２１に接触する状態として（図５と反対側にして）重ね、その内側に、メッシュ布２３を重ね、防水性布２１と布２２ｄとメッシュ布２３の上下端が重ならない状態で、それぞれの左右端の縦方向の縁のみを縫い合わせることにより、股当て体２０が作られる。この股当て体２０でも、各布２１，２２，２３が重なる上下端を縫わないので、図１（Ｂ）の各布間Ｇは開放状態となる
【００１６】
図６には、前当て部１１Ｃに配置されたフックテープ１６の部分の構成が示されており、第１実施例では、図６に示されるように、中央部にパイルテープ（第２メス部）２６が縫い付けられた短冊状布２５を、フックテープ１６と共に前当て部１１Ｃに縫い付け、この短冊状布２５の先端には、フックテープ１６に対しパイルテープ２６を接着（係着）し、又は剥がす際のツマミ部２５Ａを設ける。上記パイルテープ２６の大きさは、フックテープ１６の大きさと略同一となっており、このパイルテープ２６をフックテープ１６に接着することにより、このフックテープ１６の全面を覆い隠すことができる。
【００１７】
第１実施例の布おむつは以上の構成からなり、図１（Ａ）のカバー体１１の内側中央の鎖線位置（股部１１Ｂ）に、図１（Ｂ）の股当て体２０を配置し、カバー体１１の腰当て部１１Ａを腰の下に敷き、上記股当て体２０を股に当てながら前当て部１１Ｃを前側（腹側）に回すことにより、布おむつが取り付けられる。そして、図３に示されるように、腰当て部１１Ａと前当て部１１Ｃに配置されたフックテープ１６をパイル布１７に係着すれば、布おむつをしっかりと固定することができる。
【００１８】
このような布おむつでは、股当て体２０にもその外側に防水性布２１が取り付けられているので、股当て体２０に吸収された液体等がカバー体１１側へ浸潤することがなく、排泄量が少ないときには、股当て体２０のみを交換することができ、これによって、カバー体１１の交換頻度を低くすることができる。
【００１９】
また、股当て体２０では、防水性布２１と木綿布２２とメッシュ布２３の上下端、そして木綿布２２内の各布２２ａ〜２２ｄの上方端をずらして重ならないようにしており、寝ている人の背中に段差や凹凸を生じさせることがなく、良好な着け心地を得ることができる。即ち、木綿布２２ａ〜２２ｄ等では、縁をかがっており、このかがり縁が重なることよって段差や凹凸ができるが、このかがり縁を重ねないことによって段差、凹凸をなくすようにしている。
【００２０】
更に、この股当て体２０は、それぞれの布２１，２２，２３の布間Ｇと、木綿布２２内のそれぞれの布２２ａ〜２２ｄの布間Ｇが開放状態となるので、洗濯時の乾燥工程が短時間に行えるという利点がある。
【００２１】
また、第１実施例では、図６に示されるように、洗濯時に、フックテープ１６にツマミ２５Ａ等を摘みながらパイルテープ２６を接着すれば、このフックテープ１６がパイル布１７や木綿布等に引っ掛かって洗濯物が絡んだりすることがなく、またこのフックテープ１６に洗濯時等で生じるゴミが付着してマジックテープの接着力を低下させることも防止できる。
【００２２】
図７乃至図９には、第２実施例に係るパンツ型の布おむつの構成が示されており、図８は腰ゴム部を広げて上側から内部を見たものである。図７及び図８に示されるように、第２実施例の布おむつは、パンツ型のカバー体３１と、これとは分離された股当て体３２から構成され、上記カバー体３１は、第１実施例と同様に、中間のポリウレタンフィルムを外側のポリエステル（１００％）で挟んで３層とした防水性の高い外側の防水性布３３と、内側の木綿布３４とから作られる。また、足抜き孔３１Ｈの股側には、ゴム状帯と防水性布を用いて形成したギャザー３５が設けられる。そして、図８に示されるように、カバー体３１の内部の股部には、前後方向の２箇所において、股当て体３２を取り付けるための収納ポケット（取付け部）３６が設けられる。
【００２３】
図９に示されるように、股当て体３２は、図（Ａ）の防水性布３７、図（Ｂ）の木綿布３８及び図（Ｃ）のメッシュ布３９から構成され、上記木綿布３８は複数枚の布を重ねたものとされる。この第２実施例の股当て体３２では、布３７，３８，３９を順に重ねてその外周縁の全周を縫っているが、第１実施例と同様に、縦方向外周縁の縫い線のみを縫うようにしてもよい。
【００２４】
このような第２実施例でも、股当て体３２の外側に防水性布３７が取り付けられているので、股当て体３２の内部に吸収された液体等がカバー体３１側へ浸潤することがなく、排泄量が少ないときには、股当て体２０のみを交換することができ、これによって、カバー体３１の交換を少なくすることができる。
【図面の簡単な説明】
【００２５】
【図１】第１実施例の布おむつの構成を示し、図（Ａ）はカバー体の内側の図、図（Ｂ）は股当て体の内側の図である。
【図２】第１実施例の布おむつのカバー体の外側を示す図である。
【図３】第１実施例の布おむつを着けるときの図である。
【図４】第１実施例の布おむつの股当て体を構成する各布を示す図である。
【図５】図４の股当て体における木綿布の縫い付け状態を示す図である。
【図６】第１実施例のカバー体に取り付けられるフックテープ部分の構成を示す図である。
【図７】第２実施例の布おむつのカバー体を前側から見た図である。
【図８】第２実施例の布おむつをその腰ゴム部を広げて上側から見た図である。
【図９】第２実施例の布おむつの股当て体を構成する各布を示す図である。
【符号の説明】
【００２６】
１１，３１…カバー体、      ２０，３２…股当て体、
１２，２１，３３，３７…防水性布、
１３，２２（２２ａ〜２２ｄ），３４，３８…木綿布、
２３，３９…メッシュ布、    １６…フックテープ（オス部）、
１７…パイル布（メス部）、    ２６…パイルテープ（第２メス部）。
【図２】
0003116919.tif 000003
【図３】
0003116919.tif 000004
【図４】
0003116919.tif 000005
【図５】
0003116919.tif 000006
【図６】
0003116919.tif 000007
【図７】
0003116919.tif 000008
【図８】
0003116919.tif 000009
【図９】
0003116919.tif 000010
【図１】
0003116919.tif 000011